【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者にとって有利な有利状態に制御可能な制御手段と、
演出表示手段と、
遊技者の動作を検出可能な検出手段と、
遊技に関する演出の実行を制御する演出制御手段と、
を備え、
前記演出制御手段は、
遊技者に対する動作促進表示を前記演出表示手段に表示し遊技者の動作を検出したことに基づいて演出表示を行う動作演出と、前記動作促進表示が表示されるよりも前の所定期間に亘って、前記動作演出が後に実行されることを認識可能な態様の動作示唆表示を前記演出表示手段に表示する動作示唆演出と、を実行可能であり、
前記動作促進表示として、第１態様の前記動作促進表示と、該第１態様よりも前記有利状態に制御される割合が高い第２態様の前記動作促進表示と、を表示可能であり、
前記動作示唆表示を、複数の態様で表示可能であり、
前記動作示唆演出の実行中に、前記動作示唆表示の態様を異なる態様に変更可能であり、
前記動作示唆演出の実行中に、前記動作演出が後に実行されることを示唆する文字情報を表示可能であり、
前記動作促進表示が前記第２態様にて表示される割合は、前記動作示唆表示の態様に応じて異なる
ことを特徴とする遊技機。
【請求項２】
前記演出制御手段は、
特定の動作示唆表示を表示した後に、該特定の動作示唆表示に対応する動作促進表示を表示して前記動作演出を実行し、
前記特定の動作示唆表示が表示されている間に、前記特定の動作示唆表示に対応しない前記動作演出を実行可能である
ことを特徴とする請求項１に記載の遊技機。
【手続補正２】
【補正対象書類名】明細書
【補正対象項目名】０００６
【補正方法】変更
【補正の内容】
【０００６】
前記課題を解決するために、手段Ａに記載の遊技機は、
遊技が可能な遊技機であって、
遊技者にとって有利な有利状態に制御可能な制御手段と、
演出表示手段と、
遊技者の動作を検出可能な検出手段と、
遊技に関する演出の実行を制御する演出制御手段と、
を備え、
前記演出制御手段は、
遊技者に対する動作促進表示を前記演出表示手段に表示し遊技者の動作を検出したことに基づいて演出表示を行う動作演出と、前記動作促進表示が表示されるよりも前の所定期間に亘って、前記動作演出が後に実行されることを認識可能な態様の動作示唆表示を前記演出表示手段に表示する動作示唆演出と、を実行可能であり、
前記動作促進表示として、第１態様の前記動作促進表示と、該第１態様よりも前記有利状態に制御される割合が高い第２態様の前記動作促進表示と、を表示可能であり、
前記動作示唆表示を、複数の態様で表示可能であり、
前記動作示唆演出の実行中に、前記動作示唆表示の態様を異なる態様に変更可能であり、
前記動作示唆演出の実行中に、前記動作演出が後に実行されることを示唆する文字情報を表示可能であり、
前記動作促進表示が前記第２態様にて表示される割合は、前記動作示唆表示の態様に応じて異なる
ことを特徴としている。
上記遊技機において、
前記演出制御手段は、
特定の動作示唆表示を表示した後に、該特定の動作示唆表示に対応する動作促進表示を表示して前記動作演出を実行し、
前記特定の動作示唆表示が表示されている間に、前記特定の動作示唆表示に対応しない前記動作演出を実行可能でああってもよい。
さらに、前記課題を解決するために、手段１に記載の遊技機は、
遊技が可能な遊技機（例えば、パチンコ遊技機１）であって、
遊技者にとって有利な有利状態（例えば、大当り遊技状態）に制御可能な制御手段（例えば、ＣＰＵ１０３が特別図柄プロセス処理を実行する部分）と、
演出表示手段（例えば、演出表示装置５）と、
遊技者の動作を検出可能な検出手段（例えば、プッシュボタン３１Ｂやスティックコントローラ３１Ａ）と、
遊技に関する演出の実行を制御する演出制御手段（例えば、演出制御用ＣＰＵ１２０が演出図柄変動開始処理や演出図柄変動中処理を実行する部分）と、
を備え、
前記演出制御手段は、遊技者に対する動作促進表示（例えば、操作促進画像としてのプッシュボタン３１Ｂの画像２３０）を前記演出表示手段に表示し遊技者の動作を検出したことに基づいて演出表示を行う動作演出（例えば、第２操作後演出）と、前記動作促進表示が表示されるよりも前の所定期間（例えば、第２リーチ演出が開始されてから操作促進画像としてのプッシュボタン３１Ｂの画像２３０が表示されるまでの期間）に亘って、前記動作演出が実行されることを示唆する動作示唆表示（例えば、操作示唆画像としてのプッシュボタン３１Ｂの画像２１０）を前記演出表示手段に表示する動作示唆演出（例えば、演出表示装置５の表示領域に操作示唆画像としてのプッシュボタン３１Ｂの画像２１０を表示する部分）とを実行可能であり、
前記動作促進表示として、第１態様の前記動作促進表示（例えば、大きさが「小」の操作促進画像としてのプッシュボタン３１Ｂの画像２３０）と該第１態様よりも前記有利状態に制御される割合が高い第２態様（例えば、大きさが「大」の操作促進画像としてのプッシュボタン３１Ｂの画像２３０）の前記動作促進表示を表示可能であって、
前記動作示唆表示の態様は、複数あり（例えば、操作示唆画像としての白色のプッシュボタン３１Ｂの画像２１０と、青色のプッシュボタン３１Ｂの画像２１０と、赤色のプッシュボタン３１Ｂの画像２１０）、
前記動作示唆演出の実行中に、前記動作示唆表示の態様を異なる態様に変更可能であり（例えば、図３０に示すように、操作示唆画像としてのプッシュボタン３１Ｂの画像２１０の色を白→青→赤と変化可能な部分）、
前記動作促進表示が前記第２態様にて表示される割合は、前記動作示唆表示の態様に応じて異なる（例えば、操作示唆画像として赤色のプッシュボタン３１Ｂの画像２１０が表示された場合が最も操作促進画像として「大」のプッシュボタン３１Ｂの画像２３０が表示される割合が高く、操作示唆画像として白色のプッシュボタン３１Ｂの画像２１０が表示された場合が最も操作促進画像として「大」のプッシュボタン３１Ｂの画像２３０が表示される割合が低い）
ことを特徴としている。
この特徴によれば、示唆表示の表示態様の変化に遊技者を注目させることができるので、遊技興趣を向上できる。
【手続補正３】
【補正対象書類名】明細書
【補正対象項目名】０００７
【補正方法】変更
【補正の内容】
【０００７】
手段２の遊技機は、手段１に記載の遊技機であって、
前記演出制御手段は、
特定の動作示唆表示を表示した後に、該特定の動作示唆表示に対応する動作促進表示を表示して前記動作演出を実行し（例えば、操作示唆画像としての２つのプッシュボタン３１Ｂの画像２１０を演出表示装置５の表示領域の中央に表示した後、該表示領域の中央に操作促進画像としてのプッシュボタン３１Ｂの画像２３０を表示して第１操作御演出を実行する部分）、
前記特定の動作示唆表示が表示されている間に、前記特定の動作示唆表示に対応しない前記動作演出を実行可能である（例えば、変形例２として図３７に示すように、演出表示装置５の表示領域の右端部においてボタン操作演出を実行する部分）
ことを特徴としている。
この特徴によれば、遊技の興趣を向上させることができる。
【手続補正４】
【補正対象書類名】明細書
【補正対象項目名】０００８
【補正方法】変更
【補正の内容】
【０００８】
手段３の遊技機は、手段１または手段２に記載の遊技機であって、
前記動作示唆表示の表示態様は、通常態様（例えば、操作示唆画像としての白色のプッシュボタン３１Ｂの画像２１０）と、該通常態様よりも前記動作促進表示が前記第２態様にて表示される割合が高い特別態様（例えば、操作示唆画像としての青色や赤色のプッシュボタン３１Ｂの画像２１０）と、を含み、
前記演出制御手段は、前記動作示唆表示が前記特別態様にて表示されたときでも、前記動作促進表示を前記第１態様にて表示可能である（例えば、図１６（Ｂ）に示すように、操作示唆画像の表示態様変化回数が３回に決定される場合（つまり、操作示唆画像として赤色のプッシュボタン３１Ｂの画像２１０が表示される場合）においても操作促進画像として「小」のプッシュボタン３１Ｂの画像２３０が表示される場合がある部分）
ことを特徴としている。
この特徴によれば、動作示唆表示が特別態様にて表示された場合であっても動作促進表示が第１態様で表示される場合があるため、いずれの態様の動作促進表示が表示されるのかに遊技者を注目させることが可能となるので、遊技興趣を向上できる。
【手続補正５】
【補正対象書類名】明細書
【補正対象項目名】０００９
【補正方法】変更
【補正の内容】
【０００９】
手段４の遊技機は、手段１〜手段３のいずれかに記載の遊技機であって、
可変表示が可能であるとともに、特定状態（例えば、パチンコ遊技機１における高ベース状態やスロットマシンにおけるＡＲＴ）に制御可能な遊技機（例えば、パチンコ遊技機１やスロットマシン）であって、
前記演出制御手段は、
前記特定状態において、複数の可変表示に亘って前記動作示唆表示を前記演出表示手段に表示する前記動作示唆演出を実行可能であり（例えば、変形例５に示すように、特定条件下の複数回の変動表示（例えば、大当り遊技終了後１５回の変動表示）に亘って演出表示装置５の表示領域に操作示唆画像としてのプッシュボタン３１Ｂの画像２１０を表示する部分）、
遊技者にとって有利な有利条件が成立したことに基づいて、前記動作示唆表示を異なる表示態様に変化可能である（例えば、パチンコ遊技機１において変動表示結果が大当りとなる保留記憶が発生した場合や、スロットマシンにおいてチェリーやスイカ等の特定の役が当選した場合は、操作示唆画像としてのプッシュボタン３１Ｂの画像２１０の表示態様を変化させる部分）
ことを特徴としている。
この特徴によれば、動作示唆表示の表示態様の変化によって有利条件が成立したことに遊技者を注目させることができ、興趣を向上できる。
【手続補正６】
【補正対象書類名】明細書
【補正対象項目名】００１０
【補正方法】変更
【補正の内容】
【００１０】
手段５の遊技機は、手段４に記載の遊技機であって、
前記演出制御手段は、前記有利条件とは異なる条件であって、予め設定されている演出条件が成立したことに基づいて、前記動作示唆表示を異なる表示態様に変化可能である（例えば、変形例５に示すように、予め定められた回数の変動表示が実行されたことに基づいて操作示唆画像としてのプッシュボタン３１Ｂの画像２１０の表示態様を変化させる部分）
ことを特徴としている。
この特徴によれば、有利条件が成立していない場合であっても動作示唆表示の表示態様を変化させることができるので、遊技興趣を向上できる。
【手続補正７】
【補正対象書類名】明細書
【補正対象項目名】００１１
【補正方法】変更
【補正の内容】
【００１１】
手段６の遊技機は、手段１〜手段５のいずれかに記載の遊技機であって、
前記演出制御手段は、前記動作演出の実行後に前記有利状態に制御されることを報知する報知演出（例えば、変形例６に示すように、変動表示結果が大当りであることを報知する演出）を実行可能であり、
前記演出制御手段は、前記動作示唆演出が実行された後に前記動作演出が実行されない場合においても前記報知演出を実行可能である（例えば、変形例６に示すように、第２リーチ演出を実行して変動表示結果が大当り（確変大当り）となるときには、演出表示装置５の表示領域に操作示唆画像としてのプッシュボタン３１Ｂの画像２１０を表示した後、動作促進画像としてのプッシュボタン３１Ｂの画像を表示することなく第２操作御演出を実行して変動表示結果が大当り（確変大当り）であることを報知する部分）
ことを特徴としている。
この特徴によれば、動作示唆演出が実行された後に、動作演出が実行されること無く報知演出が実行される場合があるので、遊技に意外性をもたせることができ、遊技興趣を向上できる。
【手続補正８】
【補正対象書類名】明細書
【補正対象項目名】００１２
【補正方法】変更
【補正の内容】
【００１２】
手段７の遊技機は、手段１〜手段６のいずれかに記載の遊技機であって、
前記演出制御手段は、
演出表示の種類の異なる複数の前記動作演出を実行可能であり、
前記動作示唆演出の実行中に、前記動作演出の演出表示の種類を示唆する複数の演出種類示唆表示を前記演出表示手段に表示可能である
ことを特徴としている。
この特徴によれば、動作促進表示が表示されるよりも前に、動作示唆表示とともに演出種類示唆表示が表示されて、動作演出の演出表示の種類が事前に示唆されるため、動作演出にて表示される演出表示の種類がどのようになるかに遊技者に注目させることができ、遊技興趣を向上できる。
【手続補正９】
【補正対象書類名】明細書
【補正対象項目名】００１３
【補正方法】変更
【補正の内容】
【００１３】
手段８の遊技機は、手段１〜手段７のいずれかに記載の遊技機であって、
前記動作示唆演出は、複数の前記動作示唆表示を移動表示した後に重畳表示を経て前記動作促進表示を行う成功パターンと、複数の前記動作示唆表示を移動表示した後に重畳表示を経て失敗強調表示を行う失敗パターンとを含み、
前記失敗パターンにおける前記失敗強調表示に対応する期間は、前記失敗パターンにおける前記重畳表示に対応する期間よりも長い
ことを特徴としている。
この特徴によれば、失敗強調表示の期間を長くして残念感を強調することにより、遊技興趣を向上できる。
【手続補正１０】
【補正対象書類名】明細書
【補正対象項目名】００１４
【補正方法】変更
【補正の内容】
【００１４】
手段９の遊技機は、手段１〜手段８のいずれかに記載の遊技機であって、
前記動作示唆演出は、複数の前記動作示唆表示を移動表示した後に重畳表示を経て前記動作促進表示を行う成功パターンと、複数の前記動作示唆表示を移動表示した後に重畳表示を経て失敗強調表示を行う失敗パターンとを含み、
前記成功パターンでの前記動作促進表示は、前記演出表示手段における所定領域に表示され、
前記失敗パターンでの前記失敗強調表示は、前記演出表示手段における前記所定領域とは異なる領域に表示される
ことを特徴としている。
この特徴によれば、動作促進表示の表示される領域とは異なる領域に失敗強調表示を表示することによって残念感を強調することにより、遊技興趣を向上できる。
【手続補正１１】
【補正対象書類名】明細書
【補正対象項目名】００１５
【補正方法】変更
【補正の内容】
【００１５】
手段１０の遊技機は、手段１〜手段９のいずれかに記載の遊技機であって、
前記演出制御手段は、前記動作示唆演出として、演出態様が異なる複数種類の前記動作示唆演出を実行可能であり、
前記動作示唆演出は、前記動作示唆表示を表示した後に前記動作促進表示を行う成功パターンと、前記動作示唆表示を表示した後に失敗強調表示を行う失敗パターンとを含み、
前記動作示唆演出の種類によって、前記失敗強調表示に対応する期間の長さが異なる
ことを特徴としている。
この特徴によれば、失敗強調表示に対応する期間の長さに多様性を持たせることができるので、遊技興趣を向上できる。
【手続補正１２】
【補正対象書類名】明細書
【補正対象項目名】００１６
【補正方法】変更
【補正の内容】
【００１６】
手段１１の遊技機は、手段１〜手段１０のいずれかに記載の遊技機であって、
前記演出制御手段は、
特定の動作示唆表示（例えば、操作示唆画像のとしての２つのプッシュボタン３１Ｂの画像２１０）を表示した後に、該特定の動作示唆表示に対応する動作促進表示を表示して前記動作演出を実行し（例えば、操作示唆画像としての２つのプッシュボタン３１Ｂの画像２１０を演出表示装置５の表示領域の中央に表示した後、該表示領域の中央に操作促進画像としてのプッシュボタン３１Ｂの画像２３０を表示して第１操作後演出を実行する部分）、
前記特定の動作示唆表示が表示されている間に、該特定の動作示唆表示により示唆されている第１動作演出とは異なる第２動作演出（例えば、変形例２に示すボタン操作演出）を実行可能であり、
所定の制限の下で第２動作演出を実行する（例えば、図３７（Ｅ）に示すように、操作示唆画像としてのプッシュボタン３１Ｂの画像２１０と重複しないように、ボタン操作演出を演出表示装置５の表示領域の右端部に表示する部分）
ことを特徴としている。
この特徴によれば、演出がわかりづらくなってしまうことを防止することができる。